(57)【要約】      （修正有）【課題】背丈や形状が異なる飲料缶を同時に収納した下のケースに、同じように背丈や形状が異なる飲料缶を同時に収納した上のケースを重ねて展示、販売する場合の如く、収納した飲料缶に高さの差があっても、常に、安定的に、平らに積み重ねることのできる飲料缶収納ケースを提供する。【解決手段】飲料缶収納ケースは、互いに嵌合できるように形成されたケース本体の内底面を、背丈や形状の異なる飲料缶を同時に収納できるように平坦にし、外底面に外枠と内枠とを設け、該内枠の外底面から高さを、前記飲料缶の高さの差以上としたことを特徴とし、背丈の高い飲料缶を内枠の内側になるようにし、背丈の低い飲料缶を内枠の上面に当接する。【選択図】図３
0003179358.tif 000002
【実用新案登録請求の範囲】
【請求項１】
互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にしたことを特徴とする飲料缶収納ケース。
【請求項２】
互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記ケース本体の対向する側壁上部に提げ手穴又は提げて紐を設けたことを特徴とする飲料缶収納ケース。
【請求項３】
互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記ケース本体の全側壁に無数の透孔を設けたことを特徴とする飲料缶収納ケース。
【請求項４】
互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記外枠がケース本体の外底面からスカート状に延出していることを特徴とする飲料缶収納ケース。
【請求項５】
互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記内枠が外枠に沿って環状になっていることを特徴とする飲料缶収納ケース。
【考案の詳細な説明】
【技術分野】
【０００１】
本考案は、ビールやコーヒーやジュースなどの飲料が入った飲料缶を、同時に複数本を収納して展示、販売する飲料缶収納ケースに関するものである。
【背景技術】
【０００２】
ビールやコーヒーやジュースなどの飲料が入った飲料缶には、背丈や形状の異なるものがある。たとえば、上面と下面とを同径円にしたズンドウ形のもの、或いは上方を円錐形に絞り、その頂部の飲み口にキャップを施したトップを細く絞り込んだ絞り形のものとがある。これらの飲料缶のうち、絞り形のものは、複数本を同時に収納するには折り畳み箱が利用されているが、ビールなどを入れるズンドウ形のものは、たとえば特開平８−１５１０７０号の如く、缶容器の側方及び上下を四角筒状に覆うように包装していた。このように、背丈が同じ飲料缶を包装したものであれば、縦方向に積み重ねて展示、販売することができる。
【特許文献１】特開平８−１５１０７０号公報
【考案の開示】
【考案が解決しようとする課題】
【０００３】
しかしながら、背丈やトップ形状が異なる飲料缶を同時に収納したケースでは、展示、販売する場合には、下のケースに収納した飲料缶の背丈やトップ形状が異なるため、この上に下面が平らなケースを重ねると、安定的に平らに積み重ねることができないという問題があった。
【０００４】
本考案は、上記課題を解消するためのもので、背丈やトップ形状が異なる飲料缶を複数個収納した下のケースに、同じように背丈やトップ形状が異なる飲料缶を複数個収納した上のケースを重ねて展示、販売する場合でも、常に、安定的に平らに積み重ねることのできる飲料缶収納ケースを提供することを目的としている。
【課題を解決するための手段】
【０００５】
上記目的を達成するため、本考案に係る飲料缶収納ケースは、互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にしたことを特徴とし、背丈が高い飲料缶のトップを内枠の内側になるようにし、背丈の低い飲料缶を内枠の上面（エッジ部を含む）に当るように構成した。
【０００６】
また、請求項２に記載の飲料缶収納ケースは、互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記ケース本体の対向する側壁上部に提げ手穴又は提げて紐を設けたことを特徴とし、店頭に展示してあったケースを提げ手穴又は提げて紐により持ち帰ることができるように構成した。
【０００７】
さらに、請求項３に記載の飲料缶収納ケースは、互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記ケース本体の全側壁に無数の透孔を設けたことを特徴とし、原料となるプラスチックを節約するとともに、透孔の形状を「星形」や「動物形」や「幾何学形」など親しみ易い篭に見えるように構成した。
【０００８】
さらにまた、請求項４に記載の飲料缶収納ケースは、互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記外枠がケース本体の外底面からスカート状に延出していることを特徴とし、外枠をケース本体の外底面に設けて側壁を区別することによりケース本体を外観上コンパクトに見えるように構成した。
【０００９】
さらにまた、請求項５に記載の飲料缶収納ケースは、互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にするとともに、前記内枠が外枠に沿って環状になっていることを特徴とし、ケース本体を底側もデザイン的に美的処理がされて見えるように構成した。
【考案の効果】
【００１０】
本考案によれば、互いに嵌合できるように下向きに狭窄されたケース本体の内底面を、背丈やトップ形状の異なる飲料缶を収納できるように平坦にし、該ケース本体の外底面に外枠と内枠とを立ち上げ、前記内枠内に背丈の高い方のトップが収まり、かつ、内枠の高さを飲料缶の背丈の差以上にしたことを特徴としているから、背丈の高い飲料缶のトップが、上に重なるケース本体の外底面の内枠の内側になる一方、背丈の低い飲料缶の上面（エッジ部を含む）が、上に重なるケース本体の外底面の内枠に当るようになることにより、背丈やトップ形状の異なる飲料缶を複数本同時に収納したケース本体を幾つ重ねて展示しても安定的に平らに積み重ねることができ、展示効果が高いという優れた効果を奏するものである。
【考案を実施するための最良の形態】
【００１１】
次に、本考案の実施の態様を説明する。図１はケース本体の一部を切欠した状態を示す正面図、図２はケース本体の外底面の外枠と内枠の機能を示す底面図、図３はケース本体を２段に積み重ねた状態を示す正面断面図、図４はケース本体を２段に積み重ねた状態を示す斜視図、図５は側壁に無数の透孔を開けた場合を示す斜視図である。
【００１２】
ケース本体１は、図１の如く、背丈やトップ形状の異なる飲料缶２、２′を、同時に収納できるようにプラスチック材料（例えば、ＰＰやＰＥＴ）により形成されている。ケース本体１は、平面方形（４本用／正方形、２本又は６本用／長方形）であり、四方の側壁３は下向きに狭窄（テーパになっている）され、互いに嵌合（重ねること）できるようになっている。しかして、対向する側壁３、３の上部には、提げ手穴４、４′が設けられている。この提げ手穴４、４′は、手指を通す大きさを有し、店頭に展示してあった飲料缶２、２′をケース本体１ごと持ち帰り易くしている。もちろん、提げ手穴４、４′に代えて提げ手紐（図示せず）を用いてもよい。
【００１３】
前記ケース本体１は、その内底面（底の内側面）５が平坦になっている。背丈やトップ形状の異なる飲料缶２、２′を平らに置けるようにしている。また、ケース本体の外底面（底の外側面）６には、外枠７と内枠８とが設けられている。
【００１４】
前記外枠７は、ケース本体１の外底面６からスカート状に設けられている。これはケース本体１の側壁３と外枠７とを区別することにより外観上コンパクトに見えるようにしている。もちろん、外枠７は、ケース本体１の側壁３の外面に沿ってスカート状に延長したものでもよい。一方、内枠８の高さＨは、図１に示す如く、背の高い飲料缶２から背の低い飲料缶２′の背丈の差Ｈ′以上である。
【００１５】
すなわち、背丈の高い飲料缶２のトップ（キャップ）２ａは、図３の如く、上に重なるケース本体１の内枠８の内側に入り、上のケース本体１の外底面６に対面する。一方、背丈の低い飲料缶２′の上面（エッジ部を含む）２ａ′は、上に重なるケース本体１の内枠８に当るようになる。したがって、背丈やトップ形状の異なる飲料缶２、２′を複数本同時に収納し、背丈がばらばらであっても、ケース本体１を重ねて展示しても、常に、安定的に平らになることから、図４の如く、積み重ねた複数のケース本体１には、安定感があって、展示効果が高いものとなる。
【００１６】
前記内枠８の高さＨが、前述の如く、背の高い飲料缶２から背の低い飲料缶２′の背丈の差Ｈ′と等しい（イコールである）ときは、上に重なるケース本体１の内枠８の内側に入ったトップ２ａの頂面が上のケース本体１の外底面６に直に当るが、内枠８の高さＨが、背丈の差Ｈ′以上であると、上のケース本体１の外底面６には直に当らず、若干の余裕Ｓができる。この若干の余裕Ｓとしては、１ｍｍあれば充分である。
【００１７】
なお、前記ケース本体１の内底面５の上に、たとえば、上方を円錐形に絞り、その頂部に飲み口を立ててキャップを施した絞り形の飲料缶の４本を平らに置いて収納した場合、そのトップ（キャップ）は、上に重なるケース本体１の内枠８の内側に総て入る（図２参照）。また、ケース本体１の内底面５の上に、たとえば、上面と下面とを同径の円にしたズンドウ形の飲料缶の４本を平らに置いて収納した場合、その総ての上面は、上に重なるケース本体１の内枠８の下端に当ることとなる。したがって、絞り形の飲料缶の中に、１本だけズンドウ形の飲料缶が混ざっていた場合でも、又，その逆であっても、混ざった１本は、上に重なるケース本体１の内枠８の内側に入るか、その下端に当るため、常に平らに重なることになる。
【００１８】
前記内枠８は、その機能からすれば、下のケース本体１に収納した絞り形の飲料缶のトップを内側に入れ、ズンドウ形の飲料缶の上面を下端に当てることにより、上のケース本体１を平らに保てば足り、機能上必要個所のみに設ければよいが、図２の如く、前記外枠７に沿って環状にしたのは、ケース本体１をその底側からもデザイン的に美的処理がされていることを示すためである。
【００１９】
前記ケース本体１の下向きに狭窄された側壁３には無数の透孔９が設けられている。この透孔９は、星形、動物形、幾何学模様形など如何なるの形状にしてもよい。図５の場合には、便宜上、幾何学模様形の一つである四角形状を示している。このように側壁３に無数の透孔９を設けることにより、プラスチック材料費を節約してケース本体１を安価にするとともに、積み重ねたときでも内部に飲料缶が収納されていることを透過できるようにする。また、側壁３を親しみ易い「星形」や「動物形」や「幾何学模様形」になどで飾ることにより子供や大人（特に女性）に好感を持って貰う意味もある。
【００２０】
次に、ケース本体１の使用方法について説明する。まず、ケース本体１を５個用意し、それぞれに、絞り形のコーヒー飲料缶（たとえば、ＳＩＬＫＹＢＬＡＣＫ＝商標）であって、その直径が６５ｍｍ、高さが１３２ｍｍのものを２本、ズンドウ形のビール飲料缶（たとえば、ザ・ロイヤル・ビター＝商標）であって、直径が６５ｍｍ、高さが１２２ｍｍのものを２本（都合４本）が平らに収納させた。
【００２１】
各ケース本体１に収納した飲料缶は、そのトップの高さがまちまちであるが、５個のケース本体１は、平らに重ねることができた。これは背丈の高い飲料缶２のトップ（キャップ）２ａは、図３の如く、上に重なるケース本体１の内枠８の内側に入る一方、背丈の低い飲料缶２′の上面は、上に重なるケース本体１の内枠８の下端に当ることからである。
【００２２】
即ち、背丈やトップ形状の異なる飲料缶２、２′を混ぜてそれぞれ４本同時に収納し、背丈がばらばらであっても、重ねて展示したケース本体１は、常に、安定的に平らになることから、店頭における展示効果（積み重ねたケースの安定感）が高いものであった。
【産業上の利用可能性】
【００２３】
本願は、背丈やトップ形状の異なる飲料缶を収納して展示、販売するための飲料缶収納ケースは、飲料缶のトップの高さがまちまちであっても、安定的に平らに積み重ねることができるから、店頭における展示効果が高く、しかも、提げ手穴４、４′により店頭に展示してあった飲料缶２、２′をケース本体１ごと持ち帰ることも可能であり、デパート、スーパーマーケット、コンビニなどの各種販売店における利用可能性は極めて広いものである。
【図面の簡単な説明】
【００２４】
【図１】ケース本体の一部を切欠した状態を示す正面図である。
【図２】ケース本体の外底面の外枠と内枠の機能を示す底面図である。
【図３】ケース本体を２段に積み重ねた状態を示す正面断面図である。
【図４】ケース本体を２段に積み重ねた状態を示す斜視図である。
【図５】側壁に無数の透孔を開けた場合を示す斜視図である。
【符号の説明】
【００２５】
１  ケース本体
２、２′  飲料缶
３  側壁
４、４′  提げ手穴
５  内底面
６  外底面
７  外枠
８  内枠
９  透孔
【図１】
0003179358.tif 000003
【図２】
0003179358.tif 000004
【図３】
0003179358.tif 000005
【図４】
0003179358.tif 000006
【図５】
0003179358.tif 000007